【手続補正書】
【提出日】平成26年1月10日(2014.1.10)
【手続補正１】
【補正対象書類名】特許請求の範囲
【補正対象項目名】全文
【補正方法】変更
【補正の内容】
【特許請求の範囲】
【請求項１】
無線通信システムにおいてユーザー機器（ＵＥ）でＰＵＣＣＨ（ｐｈｙｓｉｃａｌ  ｕｐｌｉｎｋ  ｃｏｎｔｒｏｌ  ｃｈａｎｎｅｌ）を通じて制御情報を伝送する方法であって、前記方法は、
制御情報ビットを変調させて、Ｎ１個の変調シンボルを生成することであって、Ｎ１は、１つのリソースブロック（ＲＢ）内の副搬送波の数の２倍である、ことと、
第１の直交コードの各要素によって前記Ｎ１個の変調シンボルの第１のＮ１／２個の変調シンボルをブロック的に多重化して、第１の複数のシーケンスを生成することと、
第２の直交コードの各要素によって前記Ｎ１個の変調シンボルの第２のＮ１／２個の変調シンボルをブロック的に多重化して、第２の複数のシーケンスを生成することと、
サブフレームで前記第１の複数のシーケンス及び前記第２の複数のシーケンスを伝送することと
を含み、
前記第１の複数のシーケンスの各シーケンスは、前記サブフレームの１番目のスロットにおいて対応するＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）シンボルにマッピングされ、前記第２の複数のシーケンスの各シーケンスは、前記サブフレームの２番目のスロットにおいて対応するＳＣ−ＦＤＭＡシンボルにマッピングされ、前記第１の複数のシーケンスの各シーケンス及び前記第２の複数のシーケンスの各シーケンスは、離散型フーリエ変換される、方法。
【請求項２】
前記第１のＮ１／２個の変調シンボルは、前記Ｎ１個の変調シンボルの第１の半分であり、前記第２のＮ１／２個の変調シンボルは、前記Ｎ１個の変調シンボルの第２の半分である、請求項１に記載の方法。
【請求項３】
前記第１の直交コード及び前記第２の直交コードは、各スロットに対して独立して決定される、請求項１に記載の方法。
【請求項４】
前記第１の複数のシーケンス及び前記第２の複数のシーケンスが伝送される、各スロット内の前記ＳＣ−ＦＤＭＡシンボルのインデックスは、標準ＣＰ（ｃｙｃｌｉｃ  ｐｒｅｆｉｘ）の場合に、０、２、３、４及び６であり、拡張ＣＰの場合に、０、１、２、４、及び５であり、前記第１の直交コード及び前記第２の直交コードは、下記の表からスロットごとに選択される、請求項１に記載の方法。
【表１】
2013517667.tif 000001
【請求項５】
前記制御情報ビットは、複数のダウンリンクデータに対する多重ＡＣＫ／ＮＡＣＫ情報を含む、請求項１に記載の方法。
【請求項６】
無線通信システムにおいてＰＵＣＣＨを通じて制御情報を伝送するように構成されたユーザー機器（ＵＥ）であって、前記ＵＥは、
ＲＦ（ｒａｄｉｏ  ｆｒｅｑｕｅｎｃｙ）ユニットと、
プロセッサと、
を備え、
前記プロセッサは、
制御情報ビットを変調させて、Ｎ１個の変調シンボルを生成することであって、Ｎ１は、１つのリソースブロック（ＲＢ）内の副搬送波の数の２倍である、ことと、
第１の直交コードの各要素によって前記Ｎ１個の変調シンボルの第１のＮ１／２個の変調シンボルをブロック的に多重化して、第１の複数のシーケンスを生成することと、
第２の直交コードの各要素によって前記Ｎ１個の変調シンボルの第２のＮ１／２個の変調シンボルをブロック的に多重化して、第２の複数のシーケンスを生成することと、
サブフレームで前記第１の複数のシーケンス及び前記第２の複数のシーケンスを伝送することと
を行うように構成されており、
前記第１の複数のシーケンスの各シーケンスは、前記サブフレームの１番目のスロットにおいて対応するＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）シンボルにマッピングされ、前記第２の複数のシーケンスの各シーケンスは、前記サブフレームの２番目のスロットにおいて対応するＳＣ−ＦＤＭＡシンボルにマッピングされ、前記第１の複数のシーケンスの各シーケンス及び前記第２の複数のシーケンスの各シーケンスは、離散型フーリエ変換される、ＵＥ。
【請求項７】
前記第１のＮ１／２個の変調シンボルは、前記Ｎ１個の変調シンボルの第１の半分であり、前記第２のＮ１／２個の変調シンボルは、前記Ｎ１個の変調シンボルの第２の半分である、請求項６に記載のＵＥ。
【請求項８】
前記第１の直交コード及び前記第２の直交コードは、各スロットに対して独立して決定される、請求項６に記載のＵＥ。
【請求項９】
前記第１の複数のシーケンス及び前記第２の複数のシーケンスが伝送される、各スロット内の前記ＳＣ−ＦＤＭＡシンボルのインデックスは、標準ＣＰ（ｃｙｃｌｉｃ  ｐｒｅｆｉｘ）の場合に、０、２、３、４及び６であり、拡張ＣＰの場合に、０、１、２、４、及び５であり、前記第１の直交コード及び前記第２の直交コードは、下記の表からスロットごとに選択される、請求項６に記載のＵＥ。
【表２】
2013517667.tif 000002
【請求項１０】
前記制御情報ビットは、複数のダウンリンクデータに対する多重ＡＣＫ／ＮＡＣＫ情報を含む、請求項６に記載のＵＥ。
【手続補正２】
【補正対象書類名】明細書
【補正対象項目名】０３３６
【補正方法】変更
【補正の内容】
【０３３６】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
本願明細書は、例えば、以下の項目も提供する。
（項目１）
無線通信システムにおいて端末がＰＵＣＣＨ（Ｐｈｙｓｉｃａｌ  Ｕｐｌｉｎｋ  Ｃｏｎｔｒｏｌ  Ｃｈａｎｎｅｌ）を通じて制御情報を伝送する方法であって、
複数の制御情報をジョイントコーディングして単一コードワードを獲得し、
前記単一コードワードから第１変調シンボル列を獲得し、
前記第１変調シンボル列のうち、前記ＰＵＣＣＨ内の各スロットに対応する変調シンボルを、該当のスロット内の複数のＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルに対応するように拡散することで、スロット別に前記複数のＳＣ−ＦＤＭＡシンボルに対応する複数の拡散された第２変調シンボル列を獲得し、
前記複数の拡散された第２変調シンボル列を、前記ＰＵＣＣＨ内の該当のＳＣ−ＦＤＭＡシンボルを通じて伝送することを含む、制御情報伝送方法。
（項目２）
前記複数の拡散された第２変調シンボル列には、ＳＣ−ＦＤＭＡシンボル単位に単一搬送波特性のためのプリコーディングが適用されたことを特徴とする、項目１に記載の制御情報伝送方法。
（項目３）
前記第１変調シンボル列のうち、前の半分は１番目のスロットに分周され、後ろの半分は２番目のスロットに分周されることを特徴とする、項目１に記載の制御情報伝送方法。
（項目４）
前記拡散過程に用いられる拡散コードは、スロットごとに独立して決定されることを特徴とする、項目１に記載の制御情報伝送方法。
（項目５）
前記拡散過程に用いられる拡散コードは、スロットを境界にホッピングすることを特徴とする、項目４に記載の制御情報伝送方法。
（項目６）
各スロット内で前記複数の拡散された第２変調シンボル列が伝送されるＳＣ−ＦＤＭＡシンボルのインデックスは、標準ＣＰの場合に、０、２、３、４及び６であり、拡張ＣＰの場合に、０、１、２、４、及び５であり、
前記拡散過程に用いられる拡散コードは、下記の表の直交コードから選択されることを特徴とする、項目１に記載の制御情報伝送方法。
【化９５】
2013517667.tif 000003
（項目７）
前記単一コードワードは、複数のダウンリンクデータに対する多重ＡＣＫ／ＮＡＣＫ（Ａｃｋｎｏｗｌｅｄｇｅｍｅｎｔ／Ｎｅｇａｔｉｖｅ  ＡＣＫ）情報がジョイントコーディングされていることを特徴とする、項目１に記載の制御情報伝送方法。
（項目８）
無線通信システムにおいてＰＵＣＣＨ（Ｐｈｙｓｉｃａｌ  Ｕｐｌｉｎｋ  Ｃｏｎｔｒｏｌ  Ｃｈａｎｎｅｌ）を通じて制御情報を伝送するように構成された端末であって、
ＲＦ（Ｒａｄｉｏ  Ｆｒｅｑｕｅｎｃｙ）ユニットと、
プロセッサと、を備え、
前記プロセッサは、複数の制御情報をジョイントコーディングして単一コードワードを獲得し、前記単一コードワードから第１変調シンボル列を獲得し、前記第１変調シンボル列のうち、前記ＰＵＣＣＨ内の各スロットに対応する変調シンボルを、該当のスロット内の複数のＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルに対応するように拡散することで、スロット別に前記複数のＳＣ−ＦＤＭＡシンボルに対応する複数の拡散された第２変調シンボル列を獲得し、前記複数の拡散された第２変調シンボル列を、前記ＰＵＣＣＨ内の該当のＳＣ−ＦＤＭＡシンボルを通じて伝送するように構成された、端末。
（項目９）
前記複数の拡散された第２変調シンボル列には、ＳＣ−ＦＤＭＡシンボル単位に単一搬送波特性のためのプリコーディングが適用されたことを特徴とする、項目８に記載の端末、
（項目１０）
前記第１変調シンボル列のうち、前の半分は１番目のスロットに分周され、後の半分は２番目のスロットに分周されることを特徴とする、項目８に記載の端末。
（項目１１）
前記拡散過程に用いられる拡散コードは、スロットごとに独立して決定されることを特徴とする、項目８に記載の端末。
（項目１２）
前記拡散過程に用いられる拡散コードは、スロットを境界にホッピングすることを特徴とする、項目１１に記載の端末。
（項目１３）
各スロット内で前記複数の拡散された第２変調シンボル列が伝送されるＳＣ−ＦＤＭＡシンボルのインデックスは、標準ＣＰの場合に、０、２、３、４及び６であり、拡張ＣＰの場合に、０、１、２、４、及び５であり、
前記拡散過程に用いられる拡散コードは、下記の表の直交コードから選択されることを特徴とする、項目８に記載の端末。
【化９６】
2013517667.tif 000004
（項目１４）
前記単一コードワードは、複数のダウンリンクデータに対する多重ＡＣＫ／ＮＡＣＫ（Ａｃｋｎｏｗｌｅｄｇｅｍｅｎｔ／Ｎｅｇａｔｉｖｅ  ＡＣＫ）情報がジョイントコーディングされていることを特徴とする、項目８に記載の端末。